(57)【要約】【課題】水撃作用による処置具挿入口内の圧力の急激な増大が繰り返される場合等でも、その影響を緩和して処置具挿入口部から外れ難い内視鏡の処置具挿通チャンネル洗浄用栓体を提供すること。【解決手段】処置具挿入口部７に着脱自在に嵌め込み係合される弾力性のある部材からなる内視鏡の処置具挿通チャンネル洗浄用栓体２０において、処置具挿入口部７に取り付けられた状態の時に処置具挿入口８に面する天井壁部２４を、処置具挿入口８内の圧力が増大した時に外方に膨らんだ状態に弾性変形する薄肉状に形成した。【選択図】      図１
2008029366.tif 000002
【特許請求の範囲】
【請求項１】
内視鏡内に配置された吸引チャンネル兼用の処置具挿通チャンネル内を通水洗浄する際に、上記処置具挿通チャンネルに連通して開口する処置具挿入口部に着脱自在に嵌め込み係合される弾力性のある部材からなる内視鏡の処置具挿通チャンネル洗浄用栓体において、
上記処置具挿入口部に取り付けられた状態の時に上記処置具挿入口に面する天井壁部を、上記処置具挿入口内の圧力が増大した時に外方に膨らんだ状態に弾性変形する薄肉状に形成したことを特徴とする内視鏡の処置具挿通チャンネル洗浄用栓体。
【請求項２】
上記天井壁部が、上記処置具挿入口側に向かって凸の略球面状に形成されている請求項１記載の内視鏡の処置具挿通チャンネル洗浄用栓体。
【請求項３】
上記天井壁部の肉厚が１〜１．５ｍｍの範囲にある請求項２記載の内視鏡の処置具挿通チャンネル洗浄用栓体。
【請求項４】
上記天井壁部の外縁部がその内側部分より薄肉に形成されている請求項１又は２記載の内視鏡の処置具挿通チャンネル洗浄用栓体。
【請求項５】
上記天井壁部の外縁部の肉厚が１〜１．５ｍｍの範囲にある請求項４記載の内視鏡の処置具挿通チャンネル洗浄用栓体。
【請求項６】
上記天井壁部の外面に対して隙間をあけて覆う状態に蓋状部が設けられている請求項１ないし５のいずれかの項に記載の内視鏡の処置具挿通チャンネル洗浄用栓体。
【発明の詳細な説明】
【技術分野】
【０００１】
この発明は内視鏡の処置具挿通チャンネル洗浄用栓体に関する。
【背景技術】
【０００２】
内視鏡は一回使用する度に洗浄消毒され、その際に内視鏡内に配置された処置具挿通チャンネル内も通水洗浄される。そのような処置具挿通チャンネルに連通して開口する処置具挿入口部には通常は鉗子栓が取り付けられているが、内視鏡が洗浄消毒される際には、鉗子栓は単体で洗浄消毒するために取り外され、それに代えて弾力性のある部材からなる洗浄用栓体が処置具挿入口部に嵌め込み係合される（例えば、特許文献１）。
【特許文献１】特開平８−３０８７９７
【発明の開示】
【発明が解決しようとする課題】
【０００３】
特許文献１に記載された洗浄用栓体には、処置具挿入口内の圧力が増大した時に洗浄用栓体が処置具挿入口部から外れるのを防止するようリーク孔が形成されていて、洗浄液をリーク孔から外方に噴出させて圧力を逃がすようにしている。
【０００４】
しかし、処置具挿通チャンネル内の洗浄効果をよくするために洗浄液を断続的に吸引する断続吸引動作等で通水洗浄が行われるような場合には、吸引圧力が急に作用しなくなる際に発生するいわゆる水撃作用による圧力の急激な増大が繰り返されることによって洗浄用栓体が処置具挿入口部から吹き飛ばされ、処置具挿通チャンネル内の通水洗浄ができなくなってしまう場合がある。
【０００５】
そこで本発明は、水撃作用による処置具挿入口内の圧力の急激な増大が繰り返される場合等でも、その影響を緩和して処置具挿入口部から外れ難い内視鏡の処置具挿通チャンネル洗浄用栓体を提供することを目的とする。
【課題を解決するための手段】
【０００６】
上記の目的を達成するため、本発明の内視鏡の処置具挿通チャンネル洗浄用栓体は、内視鏡内に配置された吸引チャンネル兼用の処置具挿通チャンネル内を通水洗浄する際に、処置具挿通チャンネルに連通して開口する処置具挿入口部に着脱自在に嵌め込み係合される弾力性のある部材からなる内視鏡の処置具挿通チャンネル洗浄用栓体において、処置具挿入口部に取り付けられた状態の時に処置具挿入口に面する天井壁部を、処置具挿入口内の圧力が増大した時に外方に膨らんだ状態に弾性変形する薄肉状に形成したものである。
【０００７】
なお、天井壁部が、処置具挿入口側に向かって凸の略球面状に形成されていてもよく、その場合、天井壁部の肉厚が１〜１．５ｍｍの範囲にあるとよい。
また、天井壁部の外縁部がその内側部分より薄肉に形成されていてもよく、その場合は、天井壁部の外縁部の肉厚が１〜１．５ｍｍの範囲にあるとよい。
【０００８】
また、天井壁部の外面に対して隙間をあけて覆う状態に蓋状部が設けられていてもよい。
【発明の効果】
【０００９】
本発明によれば、処置具挿入口部に取り付けられた状態の時に処置具挿入口に面する天井壁部を、処置具挿入口内の圧力が増大した時に外方に膨らんだ状態に弾性変形する薄肉状に形成したことにより、水撃作用による処置具挿入口内の圧力の急激な増大が繰り返される場合等でも、その影響を緩和して処置具挿入口部から外れ難いようにすることができる。
【発明を実施するための最良の形態】
【００１０】
内視鏡内に配置された吸引チャンネル兼用の処置具挿通チャンネル内を通水洗浄する際に、処置具挿通チャンネルに連通して開口する処置具挿入口部に着脱自在に嵌め込み係合される弾力性のある部材からなる内視鏡の処置具挿通チャンネル洗浄用栓体において、処置具挿入口部に取り付けられた状態の時に処置具挿入口に面する天井壁部を、処置具挿入口内の圧力が増大した時に外方に膨らんだ状態に弾性変形する薄肉状に形成する。
【実施例】
【００１１】
図面を参照して本発明の実施例を説明する。
図５において、１は内視鏡の操作部であり、その下端部に挿入部２の基端が連結されている。操作部１から後方に延出する連結可撓管３の先端には、図示されていない光源装置に接続されるコネクタ部４が取り付けられている。
【００１２】
挿入部２内には、可撓性チューブからなる処置具挿通チャンネル５が全長にわたって挿通配置されている。処置具挿通チャンネル５は吸引チャンネルを兼用しており、挿入部２の先端に開口形成された吸引口６に連通接続されている。
【００１３】
挿入部２との境界部に近い操作部１の下端部付近には、図示されていない処置具類を処置具挿通チャンネル５内に挿入する際の入口である処置具挿入口金７（処置具挿入口部）が、処置具挿入口８を斜め上方に向けて開口させた状態に突設されている。
【００１４】
また、操作部１の下端付近において、吸引接続管９が処置具挿通チャンネル５から分岐接続されていて、その吸引接続管９の他端側は、操作部１の上半部に配置された吸引操作弁１０に接続されている。
【００１５】
そして、連結可撓管３内に挿通配置された吸引チューブ１１の一端が操作部１内で吸引操作弁１０に接続され、他端側は、図示されていない外部吸引装置と接続するためにコネクタ部４に配置された吸引口金１２に接続されている。
【００１６】
処置具挿入口金７には、通常はいわゆる鉗子栓（図示せず）が取り付けられているが、内視鏡使用後の洗浄消毒時には、処置具挿入口金７から鉗子栓が取り外され、それに代えて、処置具挿入口８を塞ぐための洗浄用栓体２０が処置具挿入口金７に取り付けられる。
【００１７】
そして、例えば吸引口６を洗浄液内に漬けた状態で吸引口金１２から断続吸引を行うことにより、処置具挿通チャンネル５、吸引接続管９及び吸引チューブ１１の全経路にわたって内部が通水洗浄される。その際、洗浄用栓体２０にはいわゆる水撃作用によって圧力の急激な増大が繰り返し作用する。
【００１８】
図１は、処置具挿入口金７に洗浄用栓体２０が取り付けられた状態の側面断面図、図２と図３は連結リング３０が外された状態の洗浄用栓体２０単体の側面断面図と平面図であり、洗浄用栓体２０は、連結リング３０を除く全ての部分が、ゴム材等のような弾力性のある部材によって一体に形成されている。
【００１９】
処置具挿入口金７を囲む状態になる円筒状部２１の内面部には、弾性変形させることで、処置具挿入口金７に形成された円周溝７ａに着脱自在に嵌め込み係合される係合突起部２３が内方に向けて突出形成されている。
【００２０】
係合突起部２３は、図１に示されるように処置具挿入口金７の円周溝７ａに係合した状態では、処置具挿入口金７の円周溝７ａの外周面を弾力的に締め付けてシールした状態になり、それによって洗浄用栓体２０が処置具挿入口金７に固定された状態になる。なお、図１には係合突起部２３が弾性変形していない状態の形状が図示されている。
【００２１】
円筒状部２１の上端部は、洗浄用栓体２０が処置具挿入口金７に取り付けられた状態の時に処置具挿入口８に面する天井壁部２４になっていて、その中央位置にリーク孔２５が形成されている。リーク孔２５は、処置具挿入口８の圧力が増大した時に洗浄液を外方に噴出させて圧力を逃がす作用をする。
【００２２】
また、円筒状部２１の外面から側方に延出する連結帯部２６を中間部分で折り返すことにより、連結帯部２６の先端に形成された蓋状部２７が天井壁部２４との間に隙間をあけて天井壁部２４の外面を覆う状態になり、円筒状部２１側と蓋状部２７側とに形成された二つのリング通し孔２８，２９にまたがって金属製の連結リング３０が通されることで、蓋状部２７が天井壁部２４を覆う状態が図１に示されるように固定されている。
【００２３】
このように構成された実施例の洗浄用栓体２０の天井壁部２４は、処置具挿入口８内の圧力が増大した時に外方に膨らんだ状態に弾性変形するように、円筒状部２１の周壁や蓋状部２７等より肉厚の薄い薄肉状に形成されている。その肉厚ｔは、例えば材料のゴム硬度が４０〜５０度程度の場合に１〜１．５ｍｍ程度にするのが適している。
【００２４】
また、この実施例の天井壁部２４は、内方の処置具挿入口８側に向かって凸の略球面状に形成されており、処置具挿入口８内の圧力が増大した時に無理なく外方に膨らむことができる。
【００２５】
その結果、吸引口６を洗浄液内に漬けた状態で吸引口金１２から断続吸引が行われ、水撃作用によって処置具挿入口８内の圧力が急激に増大すると、図４に示されるように、天井壁部２４が外方に膨らんだ状態に弾性変形して圧力増大の影響が緩和され、水撃作用が繰り返されても処置具挿入口金７から洗浄用栓体２０が外れない。
【００２６】
なお、天井壁部２４が外方に大きく膨らむと図４に示されるように蓋状部２７に天井壁部２４が当接するので、天井壁部２４の膨らみすぎを防止する機能を蓋状部２７に付与することもできる。
【００２７】
また、リーク孔２５から洗浄液が外方に噴出することによっても処置具挿入口８内の圧力が逃がされるが、蓋状部２７はリーク孔２５から噴出される洗浄液が遠くまで飛び散るのを規制する機能も有する。
【００２８】
図６は本発明の第２の実施例の洗浄用栓体２０の円筒状部２１を示しており、天井壁部２４の内壁面は内側に凸の略球面状であるが外壁面は平らに形成されており、その結果、天井壁部２４の外縁部がその内側部分より薄肉に形成されている。この場合、外縁部の肉厚ｔを１〜１．５ｍｍ程度の薄肉にすればよい。
【００２９】
図７は本発明の第３の実施例の洗浄用栓体２０の円筒状部２１を示しており、天井壁部２４の内外両壁面を平らに形成して、外縁部をその内側部分より薄肉に形成したものである。この場合にも、外縁部の肉厚ｔを１〜１．５ｍｍ程度の薄肉にすればよい。またこの実施例では、係合突起部２３が円周溝７ａより細幅の基部円周溝７ｂに対して着脱自在に嵌め込み係合するように設けられている。
【図面の簡単な説明】
【００３０】
【図１】本発明の第１の実施例の内視鏡の処置具挿通チャンネル洗浄用栓体が処置具挿入口金に取り付けられた状態の側面断面図である。
【図２】本発明の第１の実施例の内視鏡の処置具挿通チャンネル洗浄用栓体の単体の側面断面図である。
【図３】本発明の第１の実施例の内視鏡の処置具挿通チャンネル洗浄用栓体の単体の平面図である。
【図４】本発明の第１の実施例の内視鏡の処置具挿通チャンネル洗浄用栓体が処置具挿入口金に取り付けられて処置具挿入口内の圧力が増大した状態の側面断面図である。
【図５】本発明の実施例の内視鏡の配管図である。
【図６】本発明の第２の実施例の内視鏡の処置具挿通チャンネル洗浄用栓体の単体の一部を省略して示す側面断面図である。
【図７】本発明の第３の実施例の内視鏡の処置具挿通チャンネル洗浄用栓体の単体の一部を省略して示す側面断面図である。
【符号の説明】
【００３１】
５  処置具挿通チャンネル
７  処置具挿入口金（処置具挿入口部）
８  処置具挿入口
２０  洗浄用栓体
２３  係合突起部
２４  天井壁部
２５  リーク孔
２７  蓋状部
【図１】
2008029366.tif 000003
【図２】
2008029366.tif 000004
【図３】
2008029366.tif 000005
【図４】
2008029366.tif 000006
【図５】
2008029366.tif 000007
【図６】
2008029366.tif 000008
【図７】
2008029366.tif 000009